(57)【要約】【課題】一般需要者は、音質の良いＣＤ、ＭＤ等の録音済み記録媒体による音楽や音声などを聴くことに大いに関心を持っているとはいえ、これらのＣＤ等の販売量は衰退の一途をたどり、関連する事業も平行して衰退してきている。そこで、このようなＣＤ等の録音済み記録媒体の販売を活発化させる販売方法を提供する。【解決手段】インターネット上に開設したウェブサイトのマーケット２ａでの複数種のＣＤ等の録音済み記録媒体を販売する方法において、一定期間の各ＣＤ等の売り上げ競争を通じて、各ＣＤ等の売上順位に応じて配当金又は商品を一部の購買者に還元付与することを約束し、一般需要者は随時上記マーケット２ａで各ＣＤの売上状況を見ながらこれらの中の任意のＣＤを購入するというゲーム性を持たせ、これにより、一般需要者のＣＤ等の録音済み記録媒体への購買意欲を高め、販売を活発化させる。【選択図】図１
2007115081.tif 000002
【特許請求の範囲】
【請求項１】
インターネットによる録音済み記録媒体の販売において、
主催者は管理サーバーによりインターネット上でウェブサイトのマーケットを開設し、このマーケットでの録音済み記録媒体の販売申し込みを募り、個人又は企業はパソコンによりこのウェブサイトにアクセスし当該マーケットで販売したい録音済み記録媒体を登録しておき、主催者はこのウェブサイトのマーケットでこれらの登録された録音済み記録媒体を期間を定めて販売し、その際、販売期間後にこれらの録音済み記録媒体の売上高又は売上枚数による順位をつけ、この順位に従って売上高の一部を配当金又は商品として購買者の一部に還元することを約束しておき、
一方、一般需要者はパソコンによりインターネットを通して当マーケットに登録し、任意の録音済み記録媒体を購入し、
上記ウェブサイトの当該マーケットでは、上記販売期間中、リアルタイムで、各録音済み記録媒体毎の売上高又は売上枚数の順位を上記管理サーバーで演算し、これをウェブサイト上に表示し、上記一般需要者はこれらの録音済み記録媒体の売上順位を上記ウェブサイトで見ながら録音済み記録媒体の購買を選定でき、
販売期間終了後、各録音済み記録媒体毎の売上高又は売上枚数を上記管理サーバーで演算し、売上高又は売上枚数による順位を上記ウェブサイトのマーケット上に表示し、
各録音済み記録媒体毎に購買者のなかから抽選又はゲームにより当選者を決め、当選者に予め約束した順位に従って売上高の一部を配当金又は商品にて当該当選者に還元することを特徴とする、インターネットによる配当金又は還元商品付き録音済み記録媒体の販売方法。
【請求項２】
上記マーケットは、少なくとも企業競争ブースと個人競争ブースに分け、企業からの販売申し込み録音済み記録媒体は企業競争ブースに、個人からの販売申し込み録音済み記録媒体は個人競争ブースに登録し、夫々のブース毎に販売売上高又は売上数を演算して、その順位を決めることを特徴とする、請求項１に記載のインターネットによる配当金又は還元商品付き録音済み記録媒体の販売方法。
【発明の詳細な説明】
【技術分野】
【０００１】
この発明は、インターネットによる、ＣＤ、ＭＤ等の録音済み記憶媒体の販売方法であって、特に、一定期間のＣＤ等の販売の売上高に応じて配当金又は商品を一部の購買者に還元することが約束されており、又ネットでの各ＣＤ等毎の販売数をカウントしてリアルタイムで売上高をウェブサイトに表示し、これにより一般需要者は購買意欲をそそられて、活発な購買が期待できる配当金又は還元商品付きの録音済み記録媒体の販売方法に関するものである。
【背景技術】
【０００２】
現在、音楽の録音済みのＣＤやＭＤ販売は、国内、世界大手企業や中小企業などの音楽配信事業者の安価な大量配信と受信ハードシステム開発によるビジネスにより、苦戦をよぎなくされている。ラジオやテレビなどの電波媒体などを用いた放送・放映は、ヒットメーカー的役割を担い、ＣＤ等の販売の売上に直結したシステムではあったが、ＣＤの約１０分の１以下の料金でダウンロードできる音楽配信の魅力にエンドユーザー（一般需要者）の多くが吸引されている。しかもこれらの音楽配信による音質はあまり良くないことも分かっている。
【０００３】
エンドユーザーは、音質の良いＣＤ等による音楽や音声などに大いに関心を持っているとはいえ、ＣＤ等の販売量は衰退の一途をたどり、関連する事業も平行して衰退してきていることは、データ分析によっても明らかである。
【非特許文献１】社団法人日本レコード協会のホームページで公開している、ＣＤアルバム、ＣＤシングル、ＣＤ全体の生産数量の過去１０年間の生産実績を表すグラフ及び表
【発明の開示】
【発明が解決しようとする課題】
【０００４】
しかしながら、ＣＤ等は店舗小売、ライブやコンサートによる直接販売、インターネット上での販売など通常の流通商品としての販売流通網しかなく、時代を先行する販売戦略に行き詰まり感があり、現在は音楽ＣＤ販売市場に販売促進の打開策が見出せていない。一方、大衆音楽業界は、作曲家、バンド、ボーカルなど過去の歴史から、特殊な才覚を認知され人気を獲得した個人やグループがプロとして活躍の場を取得するといった狭い形態の中で活躍しているのが現状であり、ＣＤの販売減退は、多面的に音楽業界やアーティストへのマイナス要素として暗雲を漂わせている。ＩＴ時代においては、もっと自由に楽曲を発表する場が必要であるが、そのような場がないのが現状である。個人の個性と才能の豊かな音楽（作曲・バンド・ボーカルなど）を発表し、世にデビューするには、何らかのオーディションによって専門家に認知されなければならないという現状を打破して、もっと自由に広域なメディアに対して才覚や才能を発表・配信し、その競い合う反応や音楽企業と同等な情報を個人レベルでキャッチすることができることが望ましいが、そのような状況ではない。
また、一般需要者であるエンドユーザーは、常に新しきリズム・新しき音・新しき声を求め、感覚や感性を刺激したり感動するメッセージや詩が文化を築き続けていることも確かである。
【０００５】
この発明はこれらの点に鑑みて為されたもので、インターネット上に開設したウェブサイトのマーケットでの複数種のＣＤ等の録音済み記録媒体の販売において、一定期間の各ＣＤ等の売り上げ競争を通じて、各ＣＤ等の売上高に応じて配当金又は商品を一部の購買者に還元付与するというゲーム性をもたせ、これにより、一般需要者のＣＤ等の録音済み記録媒体への購買意欲を高め、一方、大衆音楽家は当該マーケットを通じて積極的かつ簡単に音楽業界にデビューする機会を取得できる、インターネットによる録音済み記録媒体の販売方法を提供し、上記課題を解決しようとするものである。
【課題を解決するための手段】
【０００６】
そこで、請求項１の発明は、インターネットによるＣＤ等の録音済み記録媒体の販売において、
主催者は管理サーバーによりインターネット上でウェブサイトのマーケットを開設し、このマーケットでの録音済み記録媒体の販売申し込みを募り、個人又は企業はこのウェブサイトで販売したいＣＤ等の録音済み記録媒体を登録しておき、主催者はこのウェブサイトのマーケットでこれらの登録された録音済み記録媒体を期間を定めて販売し、その際、販売期間後にこれらの録音済み記録媒体の売上高又は売上枚数による順位をつけ、この順位に従って売上高の一部を配当金又は商品として購買者の一部に還元することを約束しておき、
一方、一般需要者はパソコンによりインターネットを通して当マーケットに登録し、任意のＣＤ等の録音済み記録媒体を購入し、
上記ウェブサイトの当該マーケットでは、上記販売期間中、リアルタイムで、各録音済み記録媒体ごとの売上高又は売上枚数の順位を上記管理サーバーで演算し、これらを上記ウェブサイトのマーケット上に表示し、上記一般需要者はこれらの録音済み記録媒体の売上高又は売上枚数の順位を上記マーケットで見ながら録音済み記録媒体の購買を選定でき、
販売期間終了後、各録音済み記録媒体毎の売上高又は売上枚数を上記管理サーバーで演算し、売上高又は売上枚数による順位を上記ウェブサイトのマーケット上に表示し、
各録音済み記録媒体毎に購買者のなかから抽選又はゲームにより当選者を決め、予め約束した、順位に従った売上高の一部を配当金又は商品にて当該当選者に還元する、インターネットによる配当金又は還元商品付き録音済み記録媒体の販売方法とした。
【０００７】
なお、上記各録音済み記録媒体毎に購買者のなかから抽選又はゲームにより当選者を決める点は、各録音済み記録媒体毎に購買者のなかから抽選して直接当選者を決める場合、また、上記録音済み記録媒体毎に購買者を抽選して複数の当選可能者を設け、これらの複数の当選可能者に上記マーケット上でゲームに参加してもらい、各録音済み記録媒体毎のゲームにおける優勝者を当選者とする場合を含む。
【０００８】
また、請求項２の発明は、上記マーケットは、少なくとも企業競争ブースと個人競争ブースに分け、レコード会社やプロダクション等の企業からの販売申し込み録音済み記録媒体は企業競争ブースに、個人からの販売申し込み録音済み記録媒体は個人競争ブースに登録し、夫々のブース毎に販売売上高又は売上枚数を演算して、その順位を決める、請求項１に記載のインターネットによる配当金又は還元商品付き録音済み記録媒体の販売方法とした。
【発明の効果】
【０００９】
請求項１及び２の各発明によれば、ＣＤ等の録音済み記録媒体を購入する場合、配当金又は還元商品をもらえるかもしれない楽しみがあると共に、インターネットを介してパソコンで好きな時に、そのＣＤ等の録音済み記録媒体のその時点での売上ランキングが分かり、これによって、予め定められた売上ランキングによる配当金又はその抽選確率を考え、当該同一の録音済み記録媒体を買い増したり、他の録音済み記録媒体を買ったりして売上ランキングを恣意的に変えたりするゲーム性を有し、これにより一般需要者のＣＤ等の録音済み記録媒体の購買意欲をそそり、ＣＤ等の録音済み記録媒体の売上を伸ばすことができる。
【００１０】
また、無名の歌手や演奏家等のミユージシャンであっても、上記マーケットに登録してこの販売システムに参加することができ、これにより多大な資金をかけずにＣＤデビューでき、世間に自分の楽曲を発表する機会を与えられることとなる。また、レコード会社やプロダクションは従来のＣＤ販売に加え、新しい販売形態として、当該販売システムに参加することで、所属の歌手や演奏家等を世間に売り込むことができ、ＣＤ等の販売ルートが広がる。さらに、一般需要者はこの販売システムに参加した無名のミュージシャンの楽曲をストリーミング等の配信方法で試聴することができ、新しい旋律やリズム、歌声に興味をもってＣＤ等を購入する可能性もあり、一般需要者にとっても、より多数の新しい曲を知ることができる。
【００１１】
また、上記の効果に加え、請求項２の発明では、少なくとも企業競争ブースと個人競争ブースに分け、それぞれのブースで各録音済み記録媒体の売上を競うため、販売申し込みする者の規模や資本力等に左右されずに、平等に売上を競うことができる。
【発明を実施するための最良の形態】
【００１２】
この発明は、インターネットによるＣＤ等の録音済み記録媒体の販売において、主催者はインターネット上でウェブサイトのマーケットを開設し、このマーケットでのＣＤ等の販売申し込みを募り、個人又は企業はこのウェブサイトで販売したいＣＤ等を登録しておき、主催者はこのウェブサイトのマーケットでこれらの登録されたＣＤを期間を定めて販売し、その際、販売期間後にこれらの各ＣＤ等の売上高による順位をつけ、この順位に従って売上高の一部を配当金又は商品として購買者の一部に還元することを約束しておく。
【００１３】
一方、一般需要者はインターネットを通して当ウェブサイトの当マーケットにその名前等を登録し、任意のＣＤ等を購入する。当ウェブサイトでは、上記販売期間中、リアルタイムで、各ＣＤ等毎の売上高又は売上枚数をコンピュータで演算し、これをマーケット上に表示し、上記一般需要者はこれらのＣＤ等の売上高又は売上枚数を上記マーケットで見ながらＣＤ等の購買を選定でき、販売期間終了後、各ＣＤ等毎の売上高又は売上枚数をコンピュータで演算し、売上高又は売上枚数による順位を上記ウェブサイトのマーケット上に表示し、各ＣＤごとに、購買者を抽選し、当選者に予め約束した順位に従って売上高の一部を配当金又は商品にて当該当選者に還元する、インターネットによる配当金又は還元商品付きＣＤ等の録音済み記録媒体の販売方法とした。
【実施例１】
【００１４】
以下この発明を図面に基いて詳細に説明する。
図１は、この発明の販売方法を示す概略図であり、図２はこの発明の方法に使用する装置とインターネットとの接続関係を示す概略構成図である。
まず、図２に示すように、主催者はインターネット１に接続した管理サーバー２を用意し、この管理サーバー２によりウェブサイトを開設してマーケット２ａを設ける（図１参照）。そして、このマーケット２ａで多数の種類のＣＤをネットで販売する。一般需要者４は自己のパソコン３を起動させて上記インターネット１を通して、管理サーバー２のウェブサイトのマーケット２ａにアクセスし、購買者として当該マーケット２ａにその名前や住所等を登録し、多数のＣＤの中から好きなＣＤを購入する。その際、一般需要者は多数のＣＤの中から、どのＣＤを購入するか迷う場合、各ＣＤ毎にストリーミング等の配信方法で短時間その楽曲を試聴できるため、パソコン３を通し幾つかの曲を聴いてどのＣＤを購入するかを決めることができる。これにより管理サーバー２には当該ＣＤの購入が記録される。主催者はこの管理サーバー２を常にチェックし、一般需要者４のＣＤ購入が記録されていることを知り、そのＣＤを直接又は当該ＣＤの販売申込者を通して購入者（一般需要者４）に郵送する。購入者は上記主催者にＣＤの購入代金を支払う。
【００１５】
また、主催者は、上記マーケット２ａで販売するＣＤの申し込みを不特定多数の人に募る。その際、このマーケット２ａでのＣＤの販売方式を表示する。当該マーケット２ａは３つのブース２ｂ、２ｃ、２ｄに分け、ブース２ｂは企業５からの販売申し込みのＣＤの企業競争ブース、ブース２ｃは個人６からの販売申し込みのＣＤの個人競争ブース、ブース２ｄは当該主催者の審査による推薦ＣＤの当マーケット一押しブースとし、一定の販売期間を定める。そして、各ブース毎にこれらのＣＤの売上を競い、販売期間終了後に売上順位を付け、順位ごとに購買者を抽選し、当該抽選に当たった購買者に当該ＣＤの売上金の一定比率の配当金又は還元商品を贈呈することを予め断っておく。例えば、売上ランキング１位は売上金の１０％、２位は売上金の７％、３位は売上金の３％とする、また、各ＣＤの販売価格は一定とするなど。
【００１６】
企業５又は個人６はパソコン３を操作して上記マーケット２ａにアクセスし、この企画に賛同した者は、このマーケット２ａで販売したいＣＤを登録しておく。この登録には主催者に登録料を支払う。また、別途、当該ＣＤ販売申込者は、ＣＤの売上に応じて当該マーケットの主催者に販売委託料又は手数料等を支払うことは勿論である。その際、主催者とＣＤ販売申込者との間で、当該販売方法、特に、一定期間の販売の後に売上順位を決め、当該売上順位毎に予め売上の一定比率の配当金又は商品を当選した購買者に還元する旨を契約しておく。そして、上記のように、主催者はこのウェブサイトのマーケット２ａでこれらの登録されたＣＤを、期間を定めて販売する。その際、上記管理サーバー２では、各販売申し込みのあったＣＤを、企業５からのものか、個人６からの申し込みか、当マーケットの推薦一押しＣＤかによって各ブース２ｂ、２ｃ、２ｄに分けて収納し、これを記録しておく。
【００１７】
このように、ＣＤの販売申し込みを各ブース２ｂ、２ｃ、２ｄに分けたのは、企業５からのＣＤの販売申し込みは、レコード会社やプロダクションからの可能性が高く、企業５自身の資本力もあり、他で当該ＣＤの宣伝をする可能性もあり、また、既に一定の評判を得た歌手の曲であるおそれもある。一方、個人６の販売申し込みのＣＤには、全く無名の歌手の楽曲であるおそれもあり、資本力も企業とは規模が全く異なる可能性がある。従って、これらは、販売売上高が全く異なり、競争にならないおそれもあるため、夫々のブースで競争する方が売上高が拮抗し、一般需要者にも興味をもたれるためである。
【００１８】
そして、一般需要者４が自己のパソコン３により当該マーケット２ａにアクセスして、ＣＤの購入を申し込んだ場合、上記管理サーバー２では、自動的にＣＤ毎に販売を記録し、演算し、各ブース２ｂ、２ｃ、２ｄ毎の複数のＣＤの各売上をグラフにより表示する（図２参照）。従って、一般需要者４は自己のパソコン３により、インターネット１に接続して上記マーケット２ａにアクセスすると、各ブース２ｂ、２ｃ、２ｄ毎のＣＤの売上順位を上記グラフにより容易に知ることができる。図２における各ブース２ｂ、２ｃ、２ｄには、各ＣＤ毎の売上高又は売上枚数が棒グラフによって示されている。従って、各ブース毎にどのＣＤが売上ランキングの１位かが容易に分かる。しかも、このデータはリアルタイムで表示され、また、一般需要者の好きなときに見ることができる。
【００１９】
そこで、一般需要者４は自己の購入した又は購入したいＣＤの売上順位が何位であるかを知る。順位が高いと配当金が高額になるが、購買者が多いため抽選の当選確率は低い。売上順位が低いと配当金は低額になるが、購買者が少ないため抽選の当選確率は高い。上記順位の高い、売れているＣＤを買えば、当選確率は低いが当たれば高額の配当金がもらえる。また、上記順位の低い、売れていないＣＤを買えば、購買者が少ないため低額ではあるが配当金をもらえる確率は高い。当該売上ランキングを恣意的に操作することもできる。この販売方法にはこのようなゲーム性があるため、一般需要者の販売意欲をそそる。そして、一般的にはより確率の高いものを期待し、売上の少ないＣＤを購入する傾向があり、これによって一定期間後には各ＣＤの販売売上は平均化する。それ故、当該ウェブサイトのマーケットはこのようにゲーム性があるためＣＤの購入が活発となり、結果的にＣＤの多量の販売が予想できる。
【００２０】
このようにして、予め定めた販売期間が過ぎると、図１に示すように、上記管理サーバー２で、自動的に各ブース毎の登録されたＣＤの売上順位が演算され、表示される。また、各順位ごとの配当金や商品が決定され、表示される。これはもちろん一般需要者がパソコン３から、上記ウェブサイトのマーケット２ａにアクセスしてこれらのＣＤの売上順位や配当金等を確認する。そして、主催者は上記管理サーバー２を操作して、上記マーケット２ａ上で販売の際登録した各ＣＤ毎の購買者を特定し、これらの購買者の抽選を行い、各ブース毎に各順位の当選者を決定しこれを表示する。これにより、主催者は各当選者に、配当金又は商品を送る。
【実施例２】
【００２１】
この実施例２は、上記実施例１とほぼ同じ構成であるが、最終的な当選者の選出が異なる。この相違点は、図３に示すように、販売期間が終わり、上記管理サーバー２で各ブース毎のＣＤの売上順位が演算され表示される。その後、主催者は上記サーバー２を操作して、上記マーケット２ａ上で販売の際登録された各ＣＤごとの購買者の抽選を行い、各ブース毎に各順位の当選可能者を複数人決定しこれを表示する。そして、各ブース毎の各順位の複数人の当選可能者により上記マーケット２ａ上でゲームを行い、当該ゲームに勝ったものが真の当選者となるようにするものである。これにより、配当金又は還元商品の当選者の選定が複雑化し、よりおもしろい選定となるため、一般需要者である購買者の興味をそそるものである。
【００２２】
このように、一般需要者であるエンドユーザーにとっては、ＣＤ等の購入に際して、配当金や商品が還元されるかもしれない楽しみがあり、また、パソコン３を使って、主催者のウェブサイトのマーケットを見ると、リアルタイムで当該マーケットで販売されている多数のＣＤの売上が表示されているため、各順位が分かり、また、各順位における売上に対する配当率が予め提示されているので、たとえ興味のないＣＤに対しても、配当金等の確率を考えて購入することも予想され、それ故、当マーケットでのＣＤの販売量が加速され、活発化する。従って、レコード会社やプロダクション等も参加することは必須であり、ましてや個人のミュージシャンにとっては、自分を売り出す場が増え、歓迎すべきシステムであり、このように音楽業界全体やこれに付随するＣＤのプレス業や配送業等の業界も活性化するチャンスとなる。
【００２３】
なお、上記実施例では、インターネット上での販売をＣＤとしたが、販売客体はＣＤに限らず、ＭＤその他の録音済み記録媒体に適用することができる。また、上記実施例では、ＣＤの販売ブースを３つに分けたが、一つでもよく、２つ以上でもよい。また、ブースを分けなくても良い。また当然、上記管理サーバー２には上記の操作、機能を有するソフトをインストールしなければならないが、上記ＣＤの販売申込者や購入者は通常のインターネットを使用できるパソコン３であれば使用でき、特に特別なソフトは必要ない。
【図面の簡単な説明】
【００２４】
【図１】この発明の販売方法を示す概略構成図である。
【図２】この発明に使用する装置とインターネットとの接続関係を示す概略構成図である。
【図３】この発明の他の実施例の販売方法を示す概略構成図である。
【符号の説明】
【００２５】
１    インターネット
２    管理サーバー
３    パソコン
４    一般需要者
５    企業
６    個人
【図１】
2007115081.tif 000003
【図２】
2007115081.tif 000004
【図３】
2007115081.tif 000005